(57)【要約】【課題】封入ミスの発生を防止する。【解決手段】封筒１００は、第１面部１０と第２面部２０と封入部３０とを備える。第２面部２０は、折れ線１０２を介して第１面部１０と連接し、折れ線１０２に沿って折り畳まれることにより第１面部１０と向かい合う。封入部３０は、折れ線１０１を介して第１面部１０と連接し、折れ線１０１に沿って折り畳まれることにより第１面部１０と第２面部２０との間に配置され、折れ線１０１を含む分離部３２の分離に用いられる分離線１１１及び１１２が形成される。第１面部１０には、分離線１１１又は１１２と対向する位置を含む所定の範囲内に、分離部１２の分離に用いられる分離線１１１又は１１２に沿って形成される。第２面部２０には、分離線１１１又は１１２と対向する位置を含む所定の範囲内に、分離部２２の分離に用いられる分離線１１４が分離線１１１又は１１２に沿って形成される。【選択図】図１
2018095261.tif 000002
【特許請求の範囲】
【請求項１】
第１面部と、
第１折れ線を介して前記第１面部と連接し、前記第１折れ線に沿って折り畳まれることにより前記第１面部と向かい合う第２面部と、
第２折れ線を介して前記第１面部と連接し、前記第２折れ線に沿って折り畳まれることにより前記第１面部と前記第２面部との間に配置される封入部とを備え、
前記封入部には、前記第２折れ線を含む部分の分離に用いられる第１分離線が形成され、
前記第１面部には、前記第１分離線と対向する位置を含む所定の範囲内に、前記第１面部の一部の分離に用いられる第２分離線が前記第１分離線に沿って形成され、
前記第２面部には、前記第１分離線と対向する位置を含む所定の範囲内に、前記第２面部の一部の分離に用いられる第３分離線が前記第１分離線に沿って形成される
封筒。
【請求項２】
前記第１面部又は前記第２面部には、外部情報が記載され、
前記封入部には、前記外部情報に対応する内部情報が記載される
請求項１に記載の封筒。
【請求項３】
前記第２面部の前記分離される一部には、前記封入部に接着する接着部が設けられる
請求項１又は２に記載の封筒。
【請求項４】
前記第３分離線は、前記第２面部において前記第１分離線と対向する位置と、前記封入部の前記分離される部分に対向する前記第２面部の端との間に形成される
請求項３に記載の封筒。
【請求項５】
前記第１面部、前記第２面部、及び前記封入部は、１枚のシート状の媒体により形成される
請求項１から４のいずれか１項に記載の封筒。
【請求項６】
前記媒体は、板紙の厚さ又は剛度を含む所定の範囲の厚さ又は剛度を有する
請求項５に記載の封筒。
【請求項７】
前記封入部は、第１封入部であり、
第４折れ線を介して前記第２面部と連接し、前記第４折れ線に沿って折り畳まれることにより前記第１封入部とともに前記第１面部と前記第２面部との間に配置される第２封入部を更に備え、
前記第２封入部には、前記第１分離線と対向する位置を含む所定の範囲内に、前記第４折れ線を含む部分の分離に用いられる第４分離線が前記第１分離線に沿って形成される
請求項１から６のいずれか１項に記載の封筒。
【請求項８】
第５折れ線を介して前記第１封入部又は前記第２封入部と連接し、前記第５折れ線に沿って折り畳まれることにより前記第１封入部及び前記第２封入部とともに前記第１面部と前記第２面部との間に配置される第３封入部を更に備え、
前記第３封入部には、前記第５折れ線を含む部分の分離に用いられる第５分離線が形成され、
前記第１面部には、前記第５分離線と対向する位置を含む所定の範囲内に、前記第１面部の他の一部の分離に用いられる第６分離線が前記第５分離線に沿って形成され、
前記第２面部には、前記第５分離線と対向する位置を含む所定の範囲内に、前記第２面部の他の一部の分離に用いられる第７分離線が前記第５分離線に沿って形成され、
前記第１封入部又は前記第２封入部には、前記第５分離線と対向する位置を含む所定の範囲内に、前記第１封入部又は前記第２封入部の他の一部の分離に用いられる第８分離線が前記第５分離線に沿って形成される
請求項７に記載の封筒。
【請求項９】
第６折れ線を介して前記第３封入部と連接し、前記第６折れ線に沿って折り畳まれることにより前記第１封入部、前記第２封入部、及び前記第３封入部とともに前記第１面部と前記第２面部との間に配置された第４封入部を更に備え、
前記第４封入部には、前記第１分離線と対向する位置を含む所定の範囲内に、前記第６折れ線を含む部分の分離に用いられる第９分離線が前記第１分離線に沿って形成され、
前記第３封入部には、前記第１分離線と対向する位置を含む所定の範囲内に、前記第３封入部の他の一部の分離に用いられる第１０分離線が前記第１分離線に沿って形成される
請求項８に記載の封筒。
【発明の詳細な説明】
【技術分野】
【０００１】
本発明は、封入部を収容する封筒に関する。
【背景技術】
【０００２】
ミシン目等の分離線を形成することにより、一部を分離できるようにした封筒が知られている。例えば特許文献１には、隠蔽シート一体型の返信用封筒が記載されている。この封筒においては、ミシン目において封筒本体から隠蔽部が切り離される。この隠蔽部は、返信時に封入物に記された情報の隠蔽に用いられる。特許文献２には、両端が引っ張られることによりミシン目において開封されるデザイン封筒が記載されている。
【先行技術文献】
【特許文献】
【０００３】
【特許文献１】特開２０１１−１８４０５２号公報
【特許文献２】特開２０１４−８８２０８号公報
【発明の概要】
【発明が解決しようとする課題】
【０００４】
近年、デジタル印刷機の登場により、オンデマンド印刷が実現されるようになった。このオンデマンド印刷により、例えば顧客にダイレクトメールを送る場合に、顧客一人ひとりに異なる内容のダイレクトメールを送ることができる。しかし、このようなダイレクトメールを送る場合には、封筒に中身を封入する際に、封筒と中身とを突き合せて、同一の顧客に対応するものであるかを確認する作業を行わなくてはならない。このような作業は、時間と手間がかかるだけではなく、封入ミスが発生する可能性がある。
本発明は、封入ミスの発生を防止することを目的とする。
【課題を解決するための手段】
【０００５】
本発明は、第１面部と、第１折れ線を介して前記第１面部と連接し、前記第１折れ線に沿って折り畳まれることにより前記第１面部と向かい合う第２面部と、第２折れ線を介して前記第１面部と連接し、前記第２折れ線に沿って折り畳まれることにより前記第１面部と前記第２面部との間に配置される封入部とを備え、前記封入部には、前記第２折れ線を含む部分の分離に用いられる第１分離線が形成され、前記第１面部には、前記第１分離線と対向する位置を含む所定の範囲内に、前記第１面部の一部の分離に用いられる第２分離線が前記第１分離線に沿って形成され、前記第２面部には、前記第１分離線と対向する位置を含む所定の範囲内に、前記第２面部の一部の分離に用いられる第３分離線が前記第１分離線に沿って形成される封筒を提供する。
【０００６】
前記第１面部又は前記第２面部には、外部情報が記載され、前記封入部には、前記外部情報に対応する内部情報が記載されてもよい。
【０００７】
前記第２面部の前記分離される一部には、前記封入部に接着する接着部が設けられてもよい。
【０００８】
前記第３分離線は、前記第２面部において前記第１分離線と対向する位置と、前記封入部の前記分離される部分に対向する前記第２面部の端との間に形成されてもよい。
【０００９】
前記封筒は、前記第１面部のうち前記分離される一部を除いた本体と第３折れ線を介して連接し、前記第３折れ線に沿って折り畳まれることにより前記封入部と前記第２面部との間に配置される少なくとも１つのフラップ部を更に備え、前記少なくとも１つのフラップ部には、前記第２面部に接着する接着部が設けられてもよい。
【００１０】
前記第１面部、前記第２面部、及び前記封入部は、１枚のシート状の媒体により形成されてもよい。
【００１１】
前記媒体は、板紙の厚さ又は剛度を含む所定の範囲の厚さ又は剛度を有してもよい。
【００１２】
前記封入部は、第１封入部であり、前記封筒は、第４折れ線を介して前記第２面部と連接し、前記第４折れ線に沿って折り畳まれることにより前記第１封入部とともに前記第１面部と前記第２面部との間に配置される第２封入部を更に備え、前記第２封入部には、前記第１分離線と対向する位置を含む所定の範囲内に、前記第４折れ線を含む部分の分離に用いられる第４分離線が前記第１分離線に沿って形成されてもよい。
【００１３】
前記封筒は、第５折れ線を介して前記第１封入部又は前記第２封入部と連接し、前記第５折れ線に沿って折り畳まれることにより前記第１封入部及び前記第２封入部とともに前記第１面部と前記第２面部との間に配置される第３封入部を更に備え、前記第３封入部には、前記第５折れ線を含む部分の分離に用いられる第５分離線が形成され、前記第１面部には、前記第５分離線と対向する位置を含む所定の範囲内に、前記第１面部の他の一部の分離に用いられる第６分離線が前記第５分離線に沿って形成され、前記第２面部には、前記第５分離線と対向する位置を含む所定の範囲内に、前記第２面部の他の一部の分離に用いられる第７分離線が前記第５分離線に沿って形成され、前記第１封入部又は前記第２封入部には、前記第５分離線と対向する位置を含む所定の範囲内に、前記第１封入部又は前記第２封入部の他の一部の分離に用いられる第８分離線が前記第５分離線に沿って形成されてもよい。
【００１４】
前記封筒は、第６折れ線を介して前記第３封入部と連接し、前記第６折れ線に沿って折り畳まれることにより前記第１封入部、前記第２封入部、及び前記第３封入部とともに前記第１面部と前記第２面部との間に配置された第４封入部を更に備え、前記第４封入部には、前記第１分離線と対向する位置を含む所定の範囲内に、前記第６折れ線を含む部分の分離に用いられる第９分離線が前記第１分離線に沿って形成され、前記第３封入部には、前記第１分離線と対向する位置を含む所定の範囲内に、前記第３封入部の他の一部の分離に用いられる第１０分離線が前記第１分離線に沿って形成されてもよい。
【発明の効果】
【００１５】
本発明によれば、封入ミスの発生を防止することができる。
【図面の簡単な説明】
【００１６】
【図１】本実施形態に係る封筒１００の展開図。
【図２】封筒１００の折り畳み方を説明する図。
【図３】図２中の矢印I−I方向から見た封筒１００の断面図。
【図４】封筒１００の開封方法を説明する図。
【図５】封筒１００の製造工程を示すフローチャート。
【図６】印刷工程において印刷される情報の一例を示す図。
【図７】２つの封入部を有する封筒２００の展開図。
【図８】折り畳んだ状態の封筒２００を示す図。
【図９】図８中の矢印II−II方向から見た封筒２００の断面図。
【図１０】３つの封入部を有する封筒３００の展開図。
【図１１】折り畳んだ状態の封筒３００を示す図。
【図１２】図１１中の矢印III−III方向から見た封筒３００の断面図。
【図１３】４つの封入部を有する封筒４００の展開図。
【図１４】折り畳んだ状態の封筒４００を示す図。
【図１５】図１４中の矢印IV−IV方向から見た封筒４００の断面図。
【図１６】横型の封筒５００の展開図。
【図１７】ハート型の封筒６００の展開図。
【図１８】円形の封筒７００の展開図。
【図１９】星型の封筒８００の展開図。
【図２０】写真立てになる横型の封筒９５０の展開図。
【図２１】写真立てとして使用される封筒９５０を背面から見た図。
【図２２】写真立てとして使用される封筒９５０を正面から見た図。
【図２３】写真立てになる縦型の封筒９００の展開図。
【発明を実施するための形態】
【００１７】
以下、図面を参照して、本発明の一実施形態を説明する。なお、各図における寸法は、必ずしも実際の寸法を反映するものではない。
【００１８】
図１は、本実施形態に係る封筒１００の展開図である。封筒１００は、例えばダイレクトメールに用いられる。封筒１００においては、封筒本体と中身とが一体に形成されている。この封筒１００は、１つの動作により封筒１００が開封されるとともに、封筒本体から中身が分離され、封筒本体から中身が取り出せるようになる。
【００１９】
封筒１００は、第１面部１０と、第２面部２０と、封入部３０と、フラップ部４０と、フラップ部５０とを備える。第１面部１０、第２面部２０、封入部３０、フラップ部４０、及びフラップ部５０は、１枚の媒体上に形成される。
【００２０】
この媒体の素材としては、例えば板紙等の紙が用いられる。紙の具体的な例としては、坪量３８０ｇ／ｍ2のウルトラＨ（日本製紙株式会社製、登録商標）や坪量１８０ｇ／ｍ2のＭＦ用紙（王子マテリア株式会社製）が挙げられる。なお、媒体の素材は、これらの紙に限定されず、所定値以上の厚さ又は剛度を有するものであれば、どのような素材であってもよい。例えば媒体は、板紙の厚さ又は剛度を含む所定の範囲の厚さ又は剛度を有していてもよい。この所定の範囲は、例えば後述する分離線１１１〜１１４に沿って媒体を折り曲げる動作により、媒体の一部が分離されるような厚さ又は剛度の範囲であってもよい。
【００２１】
第１面部１０は、封筒１００の一方の面を構成する部分である。第１面部１０には、ミシン目により形成された分離線１１３が形成される。分離線１１３は、第１面部１０の図中のＹ方向の端から図中の−Ｙ方向の端に延びる直線である。分離線１１３は、本体１１から分離部１２を分離するのに用いられる。分離部１２は、第１面部１０の一部であり、本体１１は、第１面部１０のうち分離部１２を除いた部分である。具体的には、本体１１は、第１面部１０において分離線１１３と図中の−Ｘ方向の端との間の四角形の領域である。分離部１２は、第１面部１０において分離線１１３と図中のＸ方向の端との間の四角形の領域である。
【００２２】
第２面部２０は、折れ線１０２を介して第１面部１０の−Ｘ方向の端に連接する。第２面部２０は、封筒１００の他方の面を構成する部分である。例えば第２面部２０には、宛名が記載される。第２面部２０には、ミシン目により形成された分離線１１４が形成される。分離線１１４は、第２面部２０の図中のＹ方向の端から図中の−Ｙ方向の端に延びる直線である。分離線１１４は、本体２１から分離部２２を分離するのに用いられる。分離部２２は、第２面部２０の一部であり、本体２１は、第２面部２０のうち分離部２２を除いた部分である。具体的には、本体２１は、第２面部２０において分離線１１４と図中のＸ方向の端との間の四角形の領域である。分離部２２は、第２面部２０において分離線１１４と図中の−Ｘ方向の端との間の台形の領域である。また、分離部２２には、封入部３０に接着される接着部２３が設けられる。
【００２３】
封入部３０は、折れ線１０１を介して第１面部１０のＸ方向の端に連接する。封入部３０は、封筒１００の中身を構成する部分である。封入部３０には、半切り加工により形成された分離線１１１及び１１２が形成される。この半切り加工とは、１枚の媒体のいずれか一面から反対面を残して切り込みを入れる加工である。分離線１１１と分離線１１２とは、互いに異なる面から切り込みを入れることにより形成される。分離線１１１及び１１２は、封入部３０の図中のＹ方向の端から図中の−Ｙ方向の端に向けて、封入部３０の図中の−Ｘ方向の端と略平行に延びる直線である。分離線１１１及び１１２は、所定の間隔を空けて配置される。この所定の間隔は、例えば２ｍｍである。また、上述した分離線１１３及び１１４は、いずれも分離線１１１及び１１２と略平行に延びる。
【００２４】
分離線１１１及び１１２は、本体３１から分離部３２を分離するのに用いられる。分離部３２は、封入部３０において折れ線１０１を含む部分であり、本体３１は、封入部３０のうち分離部３２を除いた部分である。具体的には、本体３１は、封入部３０において分離線１１１と図中のＸ方向の端との間の四角形の領域である。分離部３２は、封入部３０において分離線１１２と図中の−Ｘ方向の端との間の四角形の領域である。本体３１は、例えば受取人に対して贈られるカードとなる。本体３１には、受取人に対応する情報が記載される。一方、分離部３２には、このような情報は記載されない。
【００２５】
本体３１の図中のＹ方向の長さは、本体１１及び２１の図中のＹ方向の長さと同じであってもよいし、図１に示すように、本体１１及び２１の図中のＹ方向の長さよりも短く形成されていてもよい。本体３１の図中のＹ方向の長さが本体１１及び２１の図中のＹ方向の長さよりも短い場合には、封筒１００が折り畳まれたときに、封筒１００の内側の側面と本体３１の図中のＹ方向の端との間に空間の余裕ができる。これにより、封筒１００が開封されたときに、本体３１を取り出しやすくなる。
【００２６】
フラップ部４０は、折れ線１０３を介して本体１１のＹ方向の端に連接する。フラップ部４０は、封筒１００の一方の側面の貼り合わせに用いられる。フラップ部４０は、台形形状を有する。また、フラップ部４０には、第２面部２０に接着される接着部４１が設けられる。
【００２７】
フラップ部５０は、折れ線１０４を介して本体１１の−Ｙ方向の端に連接する。フラップ部５０は、封筒１００の他方の側面の貼り合わせに用いられる。フラップ部４０は、台形形状を有する。また、フラップ部５０には、第２面部２０に接着される接着部５１が設けられる。
【００２８】
図２は、封筒１００の折り畳み方を説明する図である。まず、封入部３０が折れ線１０１に沿って第１面部１０の上に折り畳まれる。続いて、フラップ部４０及び５０が折れ線１０３及び１０４に沿ってそれぞれ封入部３０の上に折り畳まれる。続いて、第２面部２０が折れ線１０２に沿ってフラップ部４０及び５０の上に折り畳まれる。このとき、接着部２３、接着部４１、及び５１には、それぞれ接着剤１５０が付けられる。これにより、接着部４１及び５１は、第２面部２０の図中の矢印Ｙ方向の端及び−Ｙ方向の端にそれぞれ接着される。また、接着部２３は、封入部３０の分離部３２に接着される。これにより、封筒１００が閉じられる。
【００２９】
図３は、図２中の矢印Ｉ−Ｉ方向から見た封筒１００の断面図である。封筒１００が折り畳まれた状態において、第１面部１０と第２面部２０とは向かい合う。また、封入部３０は、第１面部１０と第２面部２０との間に配置される。なお、この例では、分離線１１１は、図中の矢印−Ｚ方向から切り込みを入れることにより形成され、分離線１１２は、図中の矢印Ｚ方向から切り込みを入れることにより形成される。
【００３０】
分離線１１４は、第２面部２０において分離線１１１又は分離線１１２と対向する位置Ｐ１から、図中の矢印Ｘ方向に延びる所定の範囲内に形成される。つまり、分離線１１４は、位置Ｐ１と、第２面部２０において分離部３２と対向する端との間に設けられる。
【００３１】
仮に、分離線１１４が位置Ｐ１から図中の矢印−Ｘ方向に延びる範囲に設けられると、位置Ｐ１を含む範囲に接着部２３が設けられる可能性がある。この場合、接着部２３は、封入部３０の本体３１に接着してしまう。分離線１１４が上述した所定の範囲内に形成されることにより、このような事態が防止される。
【００３２】
分離線１１３は、第１面部１０において分離線１１１又は分離線１１２と対向する位置Ｐ２から、図中の矢印Ｘ方向及び矢印−Ｘ方向の両方に延びる所定の範囲内に形成される。なお、上述した所定の範囲はいずれも、分離線１１４又は１１３に沿って封筒１００を折り曲げる動作により、分離部１２、２２及び３２がまとめて分離し得るような範囲に設定される。
【００３３】
図４は、封筒１００の開封方法を説明する図である。受取人は、封筒１００の図中の矢印Ｘ方向の端と矢印−Ｘ方向の端とを持って、分離線１１４又は１１３に沿って封筒１００を山折り及び谷折りにするという動作を繰り返す。この動作により、分離線１１１〜１１４に沿って分離部１２、２２、及び２３がまとめて分離される。このとき、封筒１００を閉じていた接着部２３を含む分離部２２が切り離されるため、本体１１と本体２１との間に図中の矢印Ｘ方向に開口する開口部が形成される。また、第１面部１０と封入部３０とを接続する部分である分離部１２及び分離部３２が切り離されるため、本体３１がどこにも接続されていない状態になる。このようにして封筒１００が開封すると、受取人は、封筒１００の開口部から本体３１を取り出す。
【００３４】
図５は、封筒１００の製造工程を示すフローチャートである。この製造工程には、印刷工程、打抜き工程、及び製函工程が含まれる。
【００３５】
ステップＳ１において、印刷機を用いて印刷工程が行われる。印刷機に媒体がセットされると、印刷工程が開始される。この印刷機としては、例えば両面を一度に印刷し得るデジタル印刷機が用いられてもよい。この印刷工程では、宛先及び受取人に対応する情報が媒体上に印刷される。なお、受取人は、宛先により示される人である。この宛先には、受取人の住所、名前、及び郵便番号が含まれる。受取人に対応する情報には、例えば受取人の名前、受取人へのメッセージ、及び受取人が利用可能なクーポンコードが含まれる。
【００３６】
図６は、印刷工程において印刷される情報の一例を示す図である。この例では、第２面部２０の裏面には、宛先が印刷される。本体３１の裏面には、受取人の名前、受取人へのメッセージ、及び受取人が利用可能なクーポンコードが印刷される。本体３１の表面には、受取人へ簡易なメッセージが印刷される。なお、宛先が印刷される対象は、第２面部２０に限定されず、第１面部１０であってもよい。
【００３７】
ステップＳ２において、打抜き機を用いて打抜き工程が行われる。印刷工程を経た媒体が打抜き機にセットされると、打抜き工程が開始される。この打抜き工程では、媒体から図１に示すような展開図の形に沿って封筒１００が打ち抜かれるとともに、分離線１１１〜１１４が形成される。
【００３８】
ステップＳ３において、製函機を用いて製函工程が行われる。打抜工程を経た媒体が製函機にセットされると、製函工程が開始される。この製函工程では、図２に示すように封筒１００が折り畳まれ、接着される。これにより、封筒１００が完成する。
【００３９】
上述した実施形態によれば、第１面部１０、第２面部２０、封入部３０、フラップ部４０、及びフラップ部５０が１つの媒体上に形成され、この媒体を折り畳むことにより封筒１００が形成される。このように、封筒本体を形成する第１面部１０、第２面部２０、フラップ部４０、及びフラップ部５０と、封入部３０とが一体である場合には、封入部３０を封筒本体に封入する作業を行う必要がないため、封入ミスの発生が防止される。また、第１面部１０、第２面部２０、及び封入部３０が１つの媒体上に形成されることにより、第１面部１０又は第２面部２０と、封入部３０との両方に一度に情報を印刷することができる。
【００４０】
また、封筒１００を開封する動作により、封筒１００が開封されるとともに、封入部３０が取り出せるようになるため、封入部３０の取り出しにかかる手間が低減される。さらに、半切り加工により形成された分離線１１２及び１１１に沿って、本体３１から分離部３２が分離されるため、本体３１において分離部３２が分離された端の仕上げの美しさが増す。
【００４１】
変形例
本発明は上述した実施形態に限定されず、種々の変形がなされてもよい。また、以下の変形例は、上述した各実施形態と組み合わせて実施されてもよいし、他の変形例と組み合わせて実施されてもよい。
【００４２】
変形例１
上述した実施形態では、封筒１００は１つの封入部３０だけを有していたが、封筒が複数の封入部を有していてもよい。例えば封筒は、２つの封入部、３つの封入部、又は４つの封入部を有していてもよい。
【００４３】
図７は、２つの封入部を有する封筒２００の展開図である。封筒２００は、上述した第１面部１０、第２面部２０、封入部３０、フラップ部４０、及びフラップ部５０に加えて、封入部３０と同様の封入部６０を備える。ただし、第１面部１０には、分離線１１１及び１１２に代えて、分離線１１５が形成される。
【００４４】
封入部６０は、折れ線１０５を介して第２面部２０の−Ｘ方向の端に連接する。封入部６０には、分離線１１６が形成される。分離線１１６は、図中のＹ方向の端から図中の−Ｙ方向の端に向けて、上述した分離線１１５と略平行に延びる。分離線１１６は、本体６１から折れ線１０５を含む分離部６２を分離するのに用いられる。また、分離部６２には、封入部３０と接着する接着部６３が設けられる。なお、封筒２００においては、分離部２２に接着部２３が設けられなくてもよい。
【００４５】
図８は、折り畳んだ状態の封筒２００を示す図である。封筒２００は、上述した封筒１００と同様の方法で折り畳まれる。ただし、封入部６０は、折れ線１０５を介して第２面部２０の上に折り畳まれる。接着部４１及び５１は、封入部６０の端にそれぞれ接着される。また、このとき、接着部６３に接着剤１５０が付けられる。接着部６３は、封入部３０の分離部３２に接着される。
【００４６】
図９は、図８中の矢印II−II方向から見た封筒２００の断面図である。封入部３０及び６０は、第１面部１０と第２面部２０との間に配置される。分離線１１６は、分離線１１５と対向する位置Ｐ３から、図中の矢印Ｘ方向及び矢印−Ｘ方向の両方に延びる所定の範囲内に形成される。
【００４７】
封筒２００は、上述した封筒１００と同様の方法で開封される。封筒２００を開封する動作により、分離線１１３〜１１６に沿って分離部１２、２２、３２、及び６２がまとめて分離される。これにより、本体３１及び６１はいずれも、どこにも接続されていない状態となり、封筒２００の開口部から取り出せるようになる。
【００４８】
図１０は、３つの封入部を有する封筒３００の展開図である。封筒３００は、上述した第１面部１０、第２面部２０、封入部３０、フラップ部４０、及びフラップ部５０、及び封入部６０に加えて、封入部３０と同様の封入部７０を備える。
【００４９】
封入部７０は、折れ線１０６を介して封入部３０のＸ方向の端に連接する。封入部７０には、分離線１１７が形成される。分離線１１７は、図中のＹ方向の端から図中の−Ｙ方向の端に向けて、封入部７０の図中の−Ｘ方向の端と略平行に延びる直線である。分離線１１７は、折れ線１０６を含む分離部７２を本体７１から分離するのに用いられる。また、分離部７２には、第１面部１０に接着する接着部７３が設けられる。
【００５０】
封入部３０には、上述した分離線１１５に加えて、分離線１１８が形成される。分離線１１８は、図中のＹ方向の端から図中の−Ｙ方向の端に向けて、上述した分離線１１７と略平行に延びる直線である。分離線１１８は、折れ線１０６を含む分離部３３を本体３１から分離するのに用いられる。この場合、本体３１は、封入部３０において分離線１１５と分離線１１８の間の四角形の領域になる。分離部３３は、封入部３０において分離線１１８と図中の矢印Ｘ方向の端との間の四角形の領域になる。
【００５１】
第１面部１０には、上述した分離線１１３に加えて、分離線１１９が形成される。分離線１１９は、図中のＹ方向の端から図中の−Ｙ方向の端に向けて、上述した分離線１１７と略平行に延びる直線である。分離線１１９は、折れ線１０２を含む分離部１３を本体１１から分離するのに用いられる。この場合、本体１１は、第１面部１０において分離線１１３と分離線１１９の間の四角形の領域になる。分離部３３は、封入部３０において分離線１１９と図中の矢印−Ｘ方向の端との間の四角形の領域になる。
【００５２】
第２面部２０には、上述した分離線１１４に加えて、分離線１２０が形成される。分離線１２０は、図中のＹ方向の端から図中の−Ｙ方向の端に向けて、上述した分離線１１７と略平行に延びる直線である。分離線１２０は、折れ線１０２を含む分離部２４を本体２１から分離するのに用いられる。この場合、本体２１は、第２面部２０において分離線１１４と分離線１２０の間の四角形の領域になる。分離部２４は、第２面部２０において分離線１２０と図中の矢印−Ｘ方向の端との間の四角形の領域になる。
【００５３】
図１１は、折り畳んだ状態の封筒３００を示す図である。封筒３００は、上述した封筒２００と同様の方法で折り畳まれる。ただし、封入部７０は、折れ線１０６を介して封入部３０の上に折り畳まれる。続いて、封入部３０は、折れ線１０１を介して第１面部１０の上に折り畳まれる。このようにして、封入部３０及び７０は、順番に折り畳まれて、第１面部１０の上に重ねられる。このとき、接着部７３には、接着剤１５０が付けられる。接着部７３は、第１面部１０の分離部１３に接着される。
【００５４】
図１２は、図１１中の矢印III−III方向から見た封筒３００の断面図である。封入部３０、６０、及び７０は、第１面部１０と第２面部２０との間に配置される。分離線１２０は、第２面部２０において分離線１１７と対向する位置Ｐ４から、図中の矢印Ｘ方向及び矢印−Ｘ方向の両方に延びる所定の範囲内に形成される。分離線１１９は、第１面部１０において封入部７０を介して分離線１１７と対向する位置Ｐ５から、図中の矢印−Ｘ方向に延びる所定の範囲内に形成される。分離線１１８は、封入部３０において分離線１１７と対向する位置Ｐ６から、図中の矢印Ｘ方向及び矢印−Ｘ方向の両方に延びる所定の範囲内に形成される。
【００５５】
封筒３００は、上述した封筒１００と同様の方法で、図中の矢印Ｘ方向の端部が開封される。これにより、本体１１と本体２１との間に図中の矢印Ｘ方向に開口する第１開口部が形成される。また、本体６１がどこにも接続されていない状態になる。これにより、本体６１が封筒３００の第１開口部から取り出せるようになる。
【００５６】
また、封筒３００は、分離線１２０又は１１９に沿って封筒３００を山折り及び谷折りにするという動作が繰り返されることにより、図中の矢印−Ｘ方向の端部が開封される。具体的には、この動作により、分離線１１７〜１２０に沿って分離部１３、２４、３３、及び７２がまとめて分離される。これにより、本体１１と本体２１との間に図中の矢印−Ｘ方向に開口する第２開口部が形成される。また、封入部３０と封入部７０とを接続する部分である分離部３３及び分離部７２が切り離されるため、本体３１及び７１がどこにも接続されていない状態になる。これにより、本体３１及び７１が封筒３００の第２開口部から取り出せるようになる。
【００５７】
なお、封筒３００においては、封入部７０が封入部３０に連接していたが、封入部７０は封入部３０に代えて封入部６０に連接してもよい。この場合、封入部６０には、上述した封入部３０と同様に、２本の分離線が形成される。また、封入部７０が２つ設けられ、２つの封入部７０が封入部３０及び６０にそれぞれ連接してもよい。
【００５８】
図１３は、４つの封入部を有する封筒４００の展開図である。封筒４００は、上述した第１面部１０、第２面部２０、封入部３０、フラップ部４０、フラップ部５０、封入部６０、及び封入部７０に加えて、封入部３０と同様の封入部８０を備える。
【００５９】
封入部８０は、折れ線１０７を介して封入部７０のＸ方向の端に連接する。封入部８０には、分離線１２１が形成される。分離線１２１は、封入部８０において図中のＹ方向の端から図中の−Ｙ方向の端に向けて、上述した分離線１１５と略平行に延びる直線である。分離線１２１は、折れ線１０７を含む分離部８２を本体８１から分離するのに用いられる。
【００６０】
封入部７０には、上述した分離線１１７に加えて、分離線１２２が形成される。分離線１２２は、封入部７０において図中のＹ方向の端から図中の−Ｙ方向の端に向けて、上述した分離線１１５と略平行に延びる直線である。分離線１２２は、折れ線１０７を含む分離部７４を本体７１から分離するのに用いられる。この場合、本体７１は、封入部７０において分離線１１７と分離線１２２の間の四角形の領域になる。分離部７２は、封入部７０において分離線１２２と図中の矢印Ｘ方向の端との間の四角形の領域になる。
【００６１】
図１４は、折り畳んだ状態の封筒４００を示す図である。封筒４００は、上述した封筒３００と同様の方法で折り畳まれる。ただし、封入部８０は、折れ線１０７を介して封入部７０の上に折り畳まれる。続いて、封入部７０は、折れ線１０６を介して封入部３０の上に折り畳まれる。続いて、封入部３０は、折れ線１０１を介して第１面部１０の上に折り畳まれる。このようにして、封入部３０、７０、及び８０は、順番に折り畳まれて、第１面部１０の上に重ねられる。
【００６２】
図１５は、図１４中の矢印IV−IV方向から見た封筒４００の断面図である。封入部３０、
６０、７０、及び８０は、第１面部１０と第２面部２０との間に配置される。分離線１２１は、封入部８０において分離線１１５と対向する位置Ｐ７から、図中の矢印Ｘ方向及び矢印−Ｘ方向の両方に延びる所定の範囲内に形成される。分離線１２２は、封入部７０において封入部８０を介して分離線１１５と対向する位置Ｐ８から、図中の矢印Ｘ方向及び矢印−Ｘ方向の両方に延びる所定の範囲内に形成される。封筒４００は、上述した封筒３００と同様の方法で開封される。
【００６３】
なお、封筒４００においては、封入部８０が封入部７０に連接していたが、封入部８０は、封入部７０に代えて封入部６０に連接してもよい。この場合、封入部６０には、上述した封入部７０と同様に、２本の分離線が形成される。また、封入部８０が２つ設けられ、２つの封入部８０が封入部６０及び７０にそれぞれ連接してもよい。
【００６４】
変形例２
上述した実施形態では、縦型の封筒１００について説明したが、封筒のタイプは縦型に限定されない。例えば、横型の封筒が採用されてもよい。
【００６５】
図１６は、横型の封筒５００の展開図である。封筒５００は、上述した第１面部１０と、第２面部２０と、封入部３０と、フラップ部４０と、フラップ部５０とを備える。ただし、第２面部２０は、折れ線１０２を介して第１面部１０の図中の矢印−Ｙ方向の端に連接する。また、フラップ部５０は、折れ線１０４を介して第１面部１０の図中の矢印−Ｘ方向に連接する。
【００６６】
封筒５００は、上述した封筒１００と同様の方法で折り畳まれる。ただし、接着部５１は、第２面部２０の図中の矢印−Ｘ方向の端に接着される。封筒５００は、封筒１００と同様の方法で開封される。
【００６７】
変形例３
上述した実施形態では、封筒１００は四角形状を有していたが、封筒の形状は四角形に限定されない。例えば、封筒は、ハート型、円形、星型等の四角形以外の形状であってもよい。
【００６８】
図１７は、ハート型の封筒６００の展開図である。封筒６００は、上述した第１面部１０と同様の第１面部６１０と、上述した第２面部２０と同様の第２面部６２０と、上述した封入部３０と同様の封入部６３０とを備える。第１面部６１０は、ハート型の形状を有する。第１面部６１０には、分離線６５１が形成される。分離線６５１は、本体６１１から分離部６１２を分離するのに用いられる。分離部６１２は、第１面部６１０の一部である。本体６１１は、第１面部６１０のうち分離部６１２を除いた部分である。
【００６９】
第２面部６２０は、ハート型の形状を有する。第２面部６２０は、折れ線６４２を介して第１面部６１０に連接する。第２面部６２０には、分離線６５２が形成される。分離線６５２は、本体６２１から分離部６２２を分離するのに用いられる。分離部６２２は、第２面部６２０の一部である。本体６２１は、第２面部６２０のうち分離部６２２を除いた部分である。
【００７０】
封入部６３０は、折れ線６４１を介して第１面部６１０に連接する。封入部６３０には、分離線６５３が形成される。上述した分離線６５１及び６５２は、分離線６５３と略平行に延びる。分離線６５３は、本体６３１から分離部６３２を分離するのに用いられる。分離部６３２は、封入部６３０のうち折れ線６４１を含む台形の領域である。本体６３１は、封入部６３０から分離部６３２を除いた領域である。本体６３１は、第１面部６１０及び６２０より一回り小さいハート型の形状を有する。
【００７１】
封入部６３０は、折れ線６４１に沿って第１面部６１０の上に折り畳まれる。第２面部６２０は、折れ線６４２に沿って封入部６３０の上に折り畳まれる。これにより、第１面部６１０と第２面部６２０とが向かい合う。封入部６３０は、第１面部６１０と第２面部６２０との間に配置される。折り畳まれた状態において、分離線６５１は、第１面部６１０において分離線６５３と対向する位置を含む所定の範囲内に形成される。また、分離線６５２は、第２面部６２０において分離線６５３と対向する位置を含む所定の範囲内に形成される。なお、上述した封筒１００と同様に、分離部６２２に接着部が設けられ、第２面部６２０と封入部６３０とが接着されてもよい。封筒６００を開封する方法は、上述した封筒１００と同様である。
【００７２】
図１８は、円形の封筒７００の展開図である。封筒７００は、上述した第１面部１０と同様の第１面部７１０と、上述した第２面部２０と同様の第２面部７２０と、上述した封入部３０と同様の封入部７３０とを備える。第１面部７１０は、円形形状を有する。第１面部７１０には、分離線７５１が形成される。分離線７５１は、本体７１１から分離部７１２を分離するのに用いられる。分離部７１２は、第１面部７１０の一部である。本体７１１は、第１面部７１０のうち分離部７１２を除いた部分である。
【００７３】
第２面部７２０は、円形形状を有する。第２面部７２０は、折れ線７４２を介して第１面部７１０に連接する。第２面部７２０には、分離線７５２が形成される。分離線７５２は、本体７２１から分離部７２２を分離するのに用いられる。分離部７２２は、第２面部７２０の一部である。本体７２１は、第２面部７２０のうち分離部７２２を除いた部分である。
【００７４】
封入部７３０は、折れ線７４１を介して第１面部７１０に連接する。封入部７３０には、分離線７５３が形成される。上述した分離線７５１及び７５２は、分離線７５３に沿って延びる。分離線７５３は、本体７３１から分離部７３２を分離するのに用いられる。分離部７３２は、封入部７３０のうち折れ線７４１を含む略台形の領域である。本体７３１は、封入部７３０から分離部７３２を除いた領域である。本体７３１は、第１面部７１０及び７２０より一回り小さい円形形状を有する。
【００７５】
封筒７００は、上述した封筒６００と同様の方法で折り畳まれる。これにより、第１面部７１０と第２面部７２０とが向かい合う。封入部７３０は、第１面部７１０と第２面部７２０との間に配置される。折り畳まれた状態において、分離線７５１は、第１面部７１０において分離線７５３と対向する位置を含む所定の範囲内に形成される。また、分離線７５２は、第２面部７２０において分離線７５３と対向する位置を含む所定の範囲内に形成される。なお、上述した封筒１００と同様に、分離部７２２に接着部が設けられ、第２面部７２０と封入部７３０とが接着されてもよい。封筒７００を開封する方法は、上述した封筒１００と同様である。
【００７６】
図１９は、星型の封筒８００の展開図である。封筒８００は、上述した第１面部１０と同様の第１面部８１０と、上述した第２面部２０と同様の第２面部８２０と、上述した封入部３０と同様の封入部８３０とを備える。第１面部８１０は、星型の形状を有する。第１面部８１０には、分離線８５１が形成される。分離線８５１は、本体８１１から分離部８１２を分離するのに用いられる。分離部８１２は、第１面部８１０の一部である。本体８１１は、第１面部８１０のうち分離部８１２を除いた部分である。
【００７７】
第２面部８２０は、星型の形状を有する。第２面部８２０は、折れ線８４３及び８４４を介して第１面部８１０に連接する。第２面部８２０には、分離線８５２が形成される。分離線８５２は、本体８２１から分離部８２２を分離するのに用いられる。分離部８２２は、第２面部８２０の一部である。本体８２１は、第２面部８２０のうち分離部８２２を除いた部分である。
【００７８】
封入部８３０は、折れ線８４１及び８４２を介して第１面部８１０に連接する。封入部８３０には、分離線８５３が形成される。分離線８５３は、本体８３１から分離部８３２を分離するのに用いられる。分離部８３２は、封入部８３０のうち折れ線８４１及び８４２を含む領域である。分離部８３２は、星型から３つの連続する突起を含む部分を切り取ったような形状を有する。本体８３１は、封入部８３０から分離部８３２を除いた領域である。本体８３１は、第１面部８１０又は第２面部８２０に収まる大きさの四角形状を有する。
【００７９】
封筒８００は、上述した封筒６００と同様の方法で折り畳まれる。これにより、第１面部８１０と第２面部８２０とが向かい合う。封入部８３０は、第１面部８１０と第２面部８２０との間に配置される。折り畳まれた状態において、分離線８５１は、第１面部８１０において分離線８５３と対向する位置を含む所定の範囲内に形成される。また、分離線８５２は、第２面部８２０において分離線８５３と対向する位置を含む所定の範囲内に形成される。また、分離線８５１及び８５２は、分離線８５３と略平行に延びる。なお、上述した封筒１００と同様に、分離部８２２に接着部が設けられ、第２面部８２０と封入部８３０とが接着されてもよい。封筒８００を開封する方法は、上述した封筒１００と同様である。
【００８０】
変形例４
上述した実施形態において、封筒が開封された後、写真立てとして使用されてもよい。
【００８１】
図２０は、写真立てになる横型の封筒９５０の展開図である。封筒９５０は、上述した封筒５００と同様に、第１面部１０と、第２面部２０と、封入部３０と、フラップ部４０と、フラップ部５０とを備える。
【００８２】
ただし、第１面部１０の本体１１の中央部には、四角形の角を丸くした形状の分離部９０１が設けられる。分離部９０１は、分離線９０２により形成される。また、第２面部２０の本体２１には、脚部９１０と、脚部９２０とが設けられる。脚部９１０は、封筒９５０を横置きの写真立てとして使用するときに用いられる。脚部９２０は、封筒９５０を縦置きの写真立てとして使用するときに用いられる。
【００８３】
脚部９１０は、支持部９１１と支持部９１２とを備える。支持部９１１は、切込線９１３及び折れ線９１４により形成される。支持部９１１は、折れ線９１４に沿って曲げ起こされる。支持部９１２は、切込線９１５及び折れ線９１６により形成される。支持部９１２は、折れ線９１６に沿って曲げ起こされる。また、支持部９１２には、切欠き部９１７が設けられる。支持部９１１がこの切欠き部９１７に嵌め込まれることにより、脚部９１０が形成される。
【００８４】
脚部９２０は、脚部９２０と同様に、支持部９２１と支持部９２２とを備える。支持部９２１は、切込線９２３及び折れ線９２４により形成される。支持部９２１は、折れ線９２４に沿って曲げ起こされる。支持部９２２は、切込線９２５及び折れ線９２６により形成される。支持部９２２は、折れ線９２６に沿って曲げ起こされる。また、支持部９２２には、切欠き部９２７が設けられる。支持部９２１がこの切欠き部９２７に嵌め込まれることにより、脚部９２０が形成される。
【００８５】
封筒９５０は、上述した封筒５００と同様の方法で折り畳まれた後、脚部９１０又は脚部９２０が形成される。また、分離線９０２に沿って分離部９０１が切り取られることにより、窓９３０が形成される。
【００８６】
図２１は、写真立てとして使用される封筒９５０を背面から見た図である。この例では、封筒９５０は、横置きの写真立てとして使用される。そのため、第２面部２０上には、脚部９１０が形成される。
【００８７】
図２２は、写真立てとして使用される封筒９５０を正面から見た図である。第１面部１０から分離部９０１が切り取られることにより、窓９３０が形成される。また、封筒９５０は、上述した封筒１００と同様の方法で開封され、封入部３０が取り出される。この封入部３９の代わりに写真を第１面部１０と第２面部２０との間に入れることにより、窓９３０を介して写真を見ることができる。
【００８８】
図２３は、写真立てになる縦型の封筒９００の展開図である。封筒９００は、上述した封筒１００と同様に、第１面部１０と、第２面部２０と、封入部３０と、フラップ部４０と、フラップ部５０とを備える。ただし、第１面部１０の本体１１には、上述した封筒９５０と同様に、分離部９０１が設けられる。第２面部２０の本体２１には、上述した封筒９００と同様に、脚部９１０と、脚部９２０とが設けられる。封筒９００は、封筒１００と同様に折り畳まれる。そして、封筒９００は、封筒９５０と同様の方法で、写真立てとして使用される。
【００８９】
変形例５
上述した分離線１１１〜１２２、６５１〜６５３、７５１〜７５３、８５１〜８５３、及び９０２は、ミシン目、マイクロミシン目、大きなミシン目、及び半切り加工のいずれにより形成されてもよい。このマイクロミシン目とは、通常のミシン目よりさらに細かいミシン目をいう。例えば通常のミシン目のピッチは、３ｍｍ（切れる長さ）×１ｍｍ（残る長さ）である。これに対し、マイクロミシン目のピッチは、例えば０．３５ｍｍ（切れる長さ）×０．２３ｍｍ（残る長さ）であってもよい。大きなミシン目とは、通常のミシン目より継ぎ目の少ないミシン目をいう。例えば通常のミシン目は、１４８ｍｍの長さにおいて３０個程度の継ぎ目が形成される。これに対し、大きなミシン目のピッチは、例えば１４８ｍｍの長さにおいて５個程度の継ぎ目が形成される。なお、分離線１１１〜１２２、６５１〜６５３、７５１〜７５３、８５１〜８５３、及び９０２を形成する方法は、ここに例示した方法に限定されず、本体から一部を分離するのに用いられるものであれば、どのようなものであってもよい。
【００９０】
変形例６
上述した実施形態において、媒体の素材は紙に限定されない。例えば、媒体の素材として、プラスチックや不織布、木材が用いられてもよい。不織布は、裏面をプラスチックで補強したものが使用されてもよい。プラスチックは、接着剤を用いて、所定値以上の厚さ又は剛度を有するように加工されてもよい。媒体の素材は、印刷機で表面に情報を印刷することができ、所定値以上の厚さ又は剛度を有するものであれば、どのような素材であってもよい。
【００９１】
また、上述した分離線１１１〜１２２、６５１〜６５３、７５１〜７５３、８５１〜８５３、及び９０２は、媒体の素材に応じた加工により形成されてもよい。例えば、媒体に木材が用いられる場合、分離線１１１〜１２２、６５１〜６５３、７５１〜７５３、８５１〜８５３、及び９０２は、レーザーを用いた折り筋を付ける加工により形成されてもよい。
【００９２】
変形例７
封入部３０の本体３１は、カード以外の用途で用いられてもよい。例えば、本体３１は、二つ折りにされて、カレンダーとして用いられてもよい。この場合、本体３１には、受取人により撮影された写真が印刷されてもよい。このように本体３１には、受取人に対応する情報を含むものであれば、どのような情報が記載されてもよい。また、本体３１には、折り、抜き等の装飾加工が施されてもよい。上述した各変形例においても同様である。
【００９３】
変形例８
上述した実施形態において、分離線１１１〜１２２はいずれも直線であったが、分離線は直線に限定されない。例えば、分離線は、曲線、ジグザグ線、波線等、直線以外の線であってもよい。また、分離線の位置は、実施形態で説明した位置に限定されない。分離線は、本体から一部を分離できる位置であれば、どの位置に形成されてもよい。上述した各変形例においても同様である。
【００９４】
変形例９
上述した実施形態において、第１面部１０又は第２面部２０と封入部３０とは同様の形状を有していたが、第１面部１０又は第２面部２０と封入部３０とは必ずしも同様の形状を有していなくてもよい。例えば、第１面部１０又は第２面部２０と封入部３０とが異なる形状を有していてもよい。上述した各変形例においても同様である。
【００９５】
変形例１０
本発明は、上述した印刷工程、打抜き工程、及び製函工程を備える封筒の製造方法として提供されてもよい。また、これらの工程は、矛盾のない限り、入れ替えられてもよい。
【００９６】
変形例１１
上述した実施形態において説明した封筒１００では、図１及び図３に示すように、分離部２２と分離部３２とが接着剤１５０により接着されていたが、これに加えて、分離部３２と分離部１２とが接着剤１５０により接着されてもよい。この場合、封筒１００には、上述した接着部２３に加えて、分離部１２又は３２にも接着部が設けられる。
【００９７】
上述した変形例１において説明した封筒２００では、図７及び図９に示すように、分離部６２と分離部３２とが接着剤１５０により接着されていたが、これに加えて、分離部２２と分離部６２、及び分離部３２と分離部１２とが接着剤１５０により接着されてもよい。この場合、封筒２００には、上述した接着部６３に加えて、分離部２２又は６２と、分離部３２又は１２にも接着部が設けられる。
【００９８】
上述した変形例１において説明した封筒３００では、図１０及び図１２に示すように、分離部６２と分離部３２、及び分離部７２と分離部１３とが接着剤１５０により接着されていたが、これに加えて、分離部２２と分離部６２、分離部３２と分離部１２、分離部２４と分離部３３、及び分離部３３と分離部７２とが接着剤１５０により接着されてもよい。この場合、封筒３００には、上述した接着部６３及び７３に加えて、分離部２２又は６２と、分離部３２又は１２と、分離部２４又は３３と、及び分離部３３又は７２に接着部が設けられる。
【００９９】
上述した変形例１において説明した封筒４００では、図１３及び図１５に示すように、分離部６２と分離部３２、及び分離部７２と分離部１３とが接着剤１５０により接着されていたが、これに加えて、分離部２２と分離部６２、分離部３２と分離部８２、分離部８２と分離部７４、分離部７４と分離部１２、分離部２４と分離部３３、及び分離部３３と分離部７２とが接着剤１５０により接着されてもよい。この場合、封筒４００には、上述した接着部６３及び７３に加えて、分離部２２又は６２、分離部３２又は８２、分離部８２又は７４、分離部７４又は１２、分離部２４又は３３、及び分離部３３又は７２に接着部が設けられる。
【０１００】
変形例１２
上述した実施形態において、第１面部１０又は第２面部２０に記載される情報は、宛先に限定されない。例えば、第１面部１０又は第２面部２０には、あるキャラクターが記載されてもよい。この場合、封入部３０には、第１面部１０又は第２面部２０に記載されたキャラクターと同一の又は対応するキャラクターが記載されてもよい。このように、第１面部１０又は第２面部２０には外部情報が記載され、封入部３０には、外部情報に対応する内部情報が記載されてもよい。この外部情報は、第１面部１０又は第２面部２０に記載される情報であれば、どのような情報であってもよい。また、内部情報は、外部情報に対応する情報であれば、どのような情報であってもよい。上述した各変形例においても同様である。
【０１０１】
変形例１３
上述した実施形態において、封筒１００は接着以外の方法を用いて形成されてもよい。例えば、第２面部２０の図１中の矢印−Ｘ方向の端に突出部が設けられるとともに、封入部３０に切れ込みが形成されてもよい。この突出部の底部には、図１中の矢印Ｙ方向及び−Ｙ方向から切欠き部が設けられてもよい。また、切れ込みは、封筒１００が折り畳まれた状態において、突出部の底部と対向する位置に設けられる。この突出部が切れ込みに差し込まれることにより、封筒１００が閉じられてもよい。なお、この場合、封筒１００には、フラップ部４０及び５０が設けられなくてもよい。
【０１０２】
他の例として、封筒１００は、接着剤に代えて、粘着テープで接着されてもよい。他の例として、封筒１００は、接着剤を用いて接着されずに、単に折り畳まれたままの状態であってもよい。これら例を採用した場合、封筒１００には、フラップ部４０及び５０も、上述した突出部及び切れ込みも設けられなくてもよい。上述した各変形例においても同様の構成が採用されてもよい。
【符号の説明】
【０１０３】
１００、２００、３００、４００、５００、６００、７００、８００、９００、９５０：封筒、１０、６１０、７１０、８１０：第１面部、２０、６２０、７２０、８２０：第２面部、３０、６０、７０、８０、６３０、７３０、８３０：封入部、４０、５０：フラップ部
【図１】
2018095261.tif 000003
【図２】
2018095261.tif 000004
【図３】
2018095261.tif 000005
【図４】
2018095261.tif 000006
【図５】
2018095261.tif 000007
【図６】
2018095261.tif 000008
【図７】
2018095261.tif 000009
【図８】
2018095261.tif 000010
【図９】
2018095261.tif 000011
【図１０】
2018095261.tif 000012
【図１１】
2018095261.tif 000013
【図１２】
2018095261.tif 000014
【図１３】
2018095261.tif 000015
【図１４】
2018095261.tif 000016
【図１５】
2018095261.tif 000017
【図１６】
2018095261.tif 000018
【図１７】
2018095261.tif 000019
【図１８】
2018095261.tif 000020
【図１９】
2018095261.tif 000021
【図２０】
2018095261.tif 000022
【図２１】
2018095261.tif 000023
【図２２】
2018095261.tif 000024
【図２３】
2018095261.tif 000025